【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
中心軸を有する遊星ギア・システムであって、
前記中心軸に沿って位置する太陽ギアと、
前記太陽ギアの周囲に位置し、同じく前記中心軸に沿ったリングギアと、
前記太陽ギアと前記リングギアの間に位置し、前記太陽ギア及び前記リングギアと係合し、前記中心軸から間隔がおかれたオフセット軸周りに回転する遊星ギアと、
前記遊星ギアに接続されたキャリアと、
第一の円錐ころと、
第二の円錐ころと、を有し、
前記遊星ギアの各々は、互いに向けて下方にテーパーが付けられた第一及び第二の軌道を搭載し、
前記軌道は、それらが最も接近するところで最小直径を有し、
前記キャリアは、フランジと、該フランジから前記遊星ギア内へ突き出たピンとを有し、
前記遊星ギアの各々に対して別々のピンが用意され、
各ピンは、その一端において、前記キャリア・フランジから片持ちされ、
前記キャリアは、更に、各ピン上にインナーレースを有し、
前記インナーレースは、前記フランジから離れてそのピンから片持ちされ、
前記インナーレースは、そのピン用の前記遊星ギア内へ延びるスリーブを有し、
前記スリーブは、前記ピンから間隔が空けられ、
前記スリーブは、前記第一及び第二の外側軌道とそれぞれ同じ方向に向いており、該それぞれの方向にテーパーが付けられた第一及び第二の内側軌道を有し、
前記スリーブは、更に、前記第一の軌道の大端を越えて突き出たスラスト・リブと、前記第二の軌道の大端におけるマウント面とを有し、
前記インナーレースは、更に、前記インナーレース用の前記第二の軌道の大端を越えて突き出るように、前記スリーブの前記マウント面にもたれて位置する当初は別個のリブリングを有し、
前記第一の円錐ころは、各遊星ギア及びインナーレースについて前記第一の軌道間に一列に並べられ、
前記第一の円錐ころの大端は、前記スラスト・リブにもたれ、
前記第二の円錐ころは、各遊星ギア及びインナーレースについて前記第二の軌道間に一列に並べられ、前記リブリングにもたれた大端を有する、ことを特徴とするギア・システム。
【請求項２】
請求項１記載のギア・システムであって、
各インナーレースは、更に、そのインナーレース用の前記スリーブが取り付けられる端壁を有し、
前記インナーレースは、前記端壁において、そのピンから片持ちされる、ことを特徴とするギア・システム。
【請求項３】
請求項２記載のギア・システムであって、
各インナーレースの前記スリーブ及び前記端壁は一体に形成される、ことを特徴とするギア・システム。
【請求項４】
請求項１記載のギア・システムであって、
各インナーレース用の前記第二の軌道は、そのインナーレースがそのピンから片持ちされる位置の周囲に部分的に位置する、ことを特徴とするギア・システム。
【請求項５】
請求項１記載のギア・システムであって、
各列の前記ころは、互いに接触可能であり、
各列の前記ころの少なくとも一部は、金属接着を防止可能な摩擦コーティングで覆われる、ことを特徴とするギア・システム。
【請求項６】
中心軸を有する遊星ギア・システムであって、
前記中心軸に沿って位置する太陽ギアと、
前記太陽ギアの周囲に位置し、同じく前記中心軸に沿ったリングギアと、
前記太陽ギアと前記リングギアの間に位置し、前記太陽ギア及び前記リングギアと係合し、前記中心軸から間隔がおかれたオフセット軸周りに回転する遊星ギアと、
前記遊星ギアに接続されたキャリアと、
転動体と、を有し、
前記遊星ギアの各々は、そのオフセット軸に向けて下方を向いた軌道を搭載し、
前記キャリアは、フランジと、該フランジから前記遊星ギア内へ突き出たピンとを有し、
前記遊星ギアの各々に対して別々のピンが用意され、
各ピンは、その一端において、前記キャリア・フランジから片持ちされ、
前記キャリアは、更に、各遊星ギアとその遊星ギア内に突き出た前記ピンの間に位置するインナーレースを有し、
前記インナーレースは、前記遊星ギアによって搭載された前記外側軌道に向けて外側を向いた内側軌道を有し、
前記インナーレースは、前記平面から離れてそのピンから片持ちされ、
前記インナーレースは、前記ピンから間隔が空けられ、
前記片持ち梁の前記位置は、前記アウターレースと前記内側軌道によって部分的に囲まれたピンの間であり、
前記転動体は、各遊星ギア及びインナーレースについて前記外側軌道と前記内側軌道の間に一列に並べられ、
前記転動体は、更に、前記インナーレースと前記ピンの間の前記片持ち梁の前記位置を部分的周囲に位置する、ことを特徴とするギア・システム。
【請求項７】
請求項６記載のギア・システムであって、
各遊星ギアとインナーレースの間の前記転動体の列は、２列のうちの１列であり、
前記２列のうちの一方は、他方より前記フランジに近く、
前記他方の列の一部のみが前記インナーレースが前記ピンから片持ちされた位置を囲む、ことを特徴とするギア・システム。
【請求項８】
中心軸を有する遊星ギア・システムであって、
前記中心軸に沿って位置する太陽ギアと、
前記太陽ギアの周囲に位置し、同じく前記中心軸に沿ったリングギアと、
前記太陽ギアと前記リングギアの間に位置し、前記太陽ギア及び前記リングギアと係合し、前記中心軸から間隔がおかれたオフセット軸周りに回転する遊星ギアと、
前記遊星ギアを越えて位置するキャリア・フランジと、
前記キャリア・フランジから前記遊星ギア内へ突き出たピンと、
各ピンとそれが突き出た前記遊星ギアの間の軸受と、を有し、
各遊星ギアに対して別々のピンが用意され、
各ピンは、前記キャリア・フランジから片持ちされ、
各軸受は、前記遊星ギア上に第一及び第二の軌道を有し、
前記第一及び第二の軌道は、前記遊星ギア用の前記オフセット軸に対して反対向きに傾いていると共に、該軸に向けて内側を向いており、
各軸受は、更に、前記遊星ギア内で且つ前記ピンの周囲に位置するインナーレースを有し、
前記インナーレースは、前記フランジから離れた前記ピンに取り付けられ、
前記ピンは、その取付位置から前記フランジへ向けて突き出ており、
前記インナーレースは、前記ピンから前記取付位置を越えて間隔がおかれ、
前記インナーレースは、前記ピンから片持ちされ、
前記インナーレースは、前記オフセット軸に対して傾いた第一及び第二の内側軌道を有し、
前記第一の内側軌道は、前記第一の外側軌道と同じ方向に傾いており、
前記第二の内側軌道は、前記第二の外側軌道と同じ方向に傾いており、
ゆえに、前記第一及び第二の内側軌道は、反対方向に傾いており、
各軸受は、更に、前記第一の外側軌道と前記第一の内側軌道の間に一列に並べられた第一の転動体と、前記第二の外側軌道と前記第二の内側軌道の間に一列に並べられた第二の転動体とを有し、
前記軸受は、予荷重の状態にあり、前記転動体と前記軌道の間にクリアランスは存在しない、ことを特徴とするギア・システム。
【請求項９】
請求項８記載のギア・システムであって、
前記軌道は、テーパーが付けられており、
前記転動体は、円錐ころであり、
前記外側軌道は、互いに向けて下方にテーパーが付けられているため、それらは最小直径で最も接近し、
前記内側軌道は、互いに向けて下方にテーパーが付けられているため、それらは最小直径で最も接近し、
前記第一の列の前記円錐ころは、前記第二の列の前記円錐ころから離れて存在し、
前記第二の列の前記円錐ころは、前記第一の列の前記円錐ころから離れて存在する、ことを特徴とするギア・システム。